【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
他の端末から送信されたメッセージを表示する端末の制御方法であって、
前記他の端末から送信された複数のメッセージを前記端末の通信部によって受信することと、
前記複数のメッセージのうち、第１メッセージを前記端末の表示部に表示することと、
前記端末の表示部に対する前記端末のユーザの入力に基づいて、前記表示部に表示された前記第１メッセージを前記表示部上で移動させる制御を前記端末の制御部によって行うことと、
前記入力に基づいて、前記複数のメッセージに含まれる第２メッセージの少なくとも一部を前記端末の制御部に表示することと、
前記入力に基づいて、前記第２メッセージが前記表示部上で移動され、前記第２メッセージの全体が表示されたことに基づいて、前記第２メッセージを閲覧したことを示す情報を前記端末の通信部によって送信することとを含む。
【請求項２】
請求項１に記載の制御方法であって、
前記第２メッセージを閲覧したことを示す情報は、前記入力に基づく前記第２メッセージの移動の停止に基づいて送信される。
【請求項３】
請求項１または請求項２に記載の制御方法であって、
前記複数のメッセージは、前記表示部に時系列で表示され、
前記第２メッセージは、前記第２メッセージの文末が前記表示部に表示されたことに基づき、前記第２メッセージの全体が表示されたと判定される。
【請求項４】
請求項３に記載の制御方法であって、
前記第２メッセージは、前記第２メッセージの少なくとも一部が前記表示部に表示されてから設定された時間経過後、前記第２メッセージの文末が前記表示部に表示されていた場合、前記第２メッセージの全体が表示されたと判定される。
【請求項５】
請求項１または請求項２に記載の制御方法であって、
前記複数のメッセージは、前記表示部に時系列で表示され、
前記第２メッセージは、前記第２メッセージより後の前記時系列の第３メッセージの少なくとも一部が前記表示部に表示されることに基づき、前記第２メッセージの全体が表示されたと判定される。
【請求項６】
請求項５に記載の制御方法であって、
前記第２メッセージは、前記第２メッセージの少なくとも一部が前記表示部に表示されてから設定された時間経過後、前記第３メッセージの少なくとも一部が前記表示部に表示されていた場合、前記第２メッセージの全体が表示されたと判定される。
【請求項７】
請求項１から請求項６のいずれか一項に記載の制御方法であって、
前記第２メッセージの全体が前記表示部に表示されたかを前記制御部によって判定することを含む。
【請求項８】
請求項１から請求項７のいずれか一項に記載の制御方法であって、
前記複数のメッセージは、サーバを介して、前記端末の通信部によって受信され、
前記第２メッセージを閲覧したことを示す情報は、前記端末の通信部によって前記サーバに送信される。
【請求項９】
請求項１から請求項４のいずれか一項に記載の制御方法であって、
前記複数のメッセージは、前記表示部に時系列で表示され、
前記第２メッセージは、前記時系列上で、前記第１メッセージより後のメッセージである。
【請求項１０】
他の端末から送信されたメッセージを表示する端末のコンピュータによって実行されるプログラムであって、
前記他の端末から送信された複数のメッセージを前記端末の通信部によって受信することと、
前記複数のメッセージのうち、第１メッセージを前記端末の表示部に表示することと、
前記端末の表示部に対する前記端末のユーザの入力に基づいて、前記表示部に表示された前記第１メッセージを前記表示部上で移動させる制御を前記端末の制御部によって行うことと、
前記入力に基づいて、前記複数のメッセージに含まれる第２メッセージの少なくとも一部を前記端末の表示部に表示することと、
前記入力に基づいて、前記第２メッセージが前記表示部上で移動され、前記第２メッセージの全体が表示されたことに基づいて、前記第２メッセージを閲覧したことを示す情報を前記端末の通信部によって送信することとを含む。
【請求項１１】
他の端末から送信されたメッセージを表示する端末であって、
前記他の端末から送信された複数のメッセージを受信する通信部と、
前記複数のメッセージのうち、第１メッセージを表示する表示部と、
前記表示部に対する前記端末のユーザの入力に基づいて、前記表示部に表示された前記第１メッセージを前記表示部上で移動させる制御を行う制御部とを備え、
前記表示部は、前記入力に基づいて、前記複数のメッセージに含まれる第２メッセージの少なくとも一部を表示し、
前記通信部は、前記入力に基づいて、前記第２メッセージが前記表示部上で移動され、前記第２メッセージの全体が表示されたことに基づいて、前記第２メッセージを閲覧したことを示す情報を送信する。
【手続補正２】
【補正対象書類名】明細書
【補正対象項目名】０００７
【補正方法】変更
【補正の内容】
【０００７】
上述の問題を解決すべく、本発明の一実施形態に係る端末装置の制御方法は、他の端末から送信されたメッセージを表示する端末の制御方法であって、他の端末から送信された複数のメッセージを端末の通信部によって受信することと、複数のメッセージのうち、第１メッセージを端末の表示部に表示することと、端末の表示部に対する端末のユーザの入力に基づいて、表示部に表示された第１メッセージを表示部上で移動させる制御を端末の制御部によって行うことと、入力に基づいて、複数のメッセージに含まれる第２メッセージの少なくとも一部を端末の制御部に表示することと、入力に基づいて第２メッセージが表示部上で移動され、第２メッセージの全体が表示されたことに基づいて、第２メッセージを閲覧したことを示す情報を端末の通信部によって送信することとを含む。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また、本発明の一実施形態に係るプログラムは、他の端末から送信されたメッセージを表示する端末のコンピュータによって実行されるプログラムであって、他の端末から送信された複数のメッセージを端末の通信部によって受信することと、複数のメッセージのうち、第１メッセージを端末の表示部に表示することと、端末の表示部に対する端末のユーザの入力に基づいて、表示部に表示された第１メッセージを表示部上で移動させる制御を端末の制御部によって行うことと、入力に基づいて、複数のメッセージに含まれる第２メッセージの少なくとも一部を端末の表示部に表示することと、入力に基づいて第２メッセージが表示部上で移動され、第２メッセージの全体が表示されたことに基づいて、第２メッセージを閲覧したことを示す情報を端末の通信部によって送信することとを含む。
【手続補正１１】
【補正対象書類名】明細書
【補正対象項目名】００１６
【補正方法】変更
【補正の内容】
【００１６】
また、本発明の一実施形態に係る端末は、他の端末から送信されたメッセージを表示する端末であって、他の端末から送信された複数のメッセージを受信する通信部と、複数のメッセージのうち、第１メッセージを表示する表示部と、表示部に対する端末のユーザの入力に基づいて、表示部に表示された第１メッセージを表示部上で移動させる制御を行う制御部とを備え、表示部は、入力に基づいて、複数のメッセージに含まれる第２メッセージの少なくとも一部を表示し、通信部は、入力に基づいて第２メッセージが表示部上で移動され、第２メッセージの全体が表示されたことに基づいて、第２メッセージを閲覧したことを示す情報を送信する。